(57)【要約】【課題】コイルの組み込みが容易な小型の対物レンズホルダ等を提供する。【解決手段】本発明のレンズホルダ２１は、対物レンズ３１が装着される円形の開口部が設けられた主面部５６と、主面部５６の周辺部から下方に一体的に連続する４つの側壁部とから成るハウジング５１を有している。ハウジング５１にはフォーカスコイル３０が内蔵され、ハウジング５１の主面部から内部に突出する支持部２５Ｃ、２５Ｄに、フォーカスコイル３０の内壁が当接している。これにより、ハウジング５１の内部でフォーカスコイル３０が正確に配置される。【選択図】図４
2014026703.tif 000002
【特許請求の範囲】
【請求項１】
対物レンズと、
前記対物レンズが固定される固定部が設けられた主面部と、一方向で対向する第１側壁部および第２側壁部と、他方向で対向する第３側壁部および第４側壁部と、前記主面部に対向する開口部と有するレンズホルダと、
巻回された導線から成り、前記レンズホルダに内蔵されるフォーカスコイルと、を備え、
前記レンズホルダに、前記フォーカスコイルの第１内壁に内側から当接する第１支持部と、前記フォーカスコイルの前記第１内壁に対向する第２内壁に内側から当接する第２支持部と、を設けることを特徴とする対物レンズ駆動装置。
【請求項２】
前記固定部よりも一方側で、前記第１側壁部、前記第２側壁部および前記第３側壁部に囲まれて第１フォーカスコイルが収納される第１収納領域と、
前記固定部よりも他方側で、前記第１側壁部、前記第２側壁部および前記第４側壁部に囲まれて第２フォーカスコイルが収納される第２収納領域と、を更に備え、
前記第１収納領域および前記第２収納領域の夫々に、前記第１支持部および前記第２支持部を設け、
前記第１収納領域に収納された前記第１フォーカスコイルの第１内壁および第２内壁に内側から前記第１支持部および前記第２支持部が当接し、
前記第２収納領域に収納された前記第２フォーカスコイルの第１内壁および第２内壁に内側から前記第１支持部および前記第２支持部が当接することを特徴とする請求項１に記載の対物レンズ駆動装置。
【請求項３】
前記フォーカスコイルの第１内壁は、両端よりも中間部が外側に膨らむ形状を呈し、
前記フォーカスコイルの第２内壁は、両端よりも中間部が外側に膨らむ形状を呈することを特徴とする請求項１または請求項２に記載の対物レンズ駆動装置。
【請求項４】
前記フォーカスコイルを厚み方向に外側から支持する第３支持部を、前記第３側壁部および第４側壁部に設けたことを特徴とする請求項１から請求項３の何れかに記載の対物レンズ駆動装置。
【請求項５】
請求項１から請求項４の何れかに記載の対物レンズ駆動装置をハウジングに搭載したことを特徴とする光ピックアップ装置。
【請求項６】
対物レンズが固定される固定部が設けられた主面部と、一方向で対向する第１側壁部および第２側壁部と、他方向で対向する第３側壁部および第４側壁部と、前記主面部に対向する開口部と有し、前記主面部から内部に突出する第１支持部および第２支持部が設けられた対物レンズホルダを用意する工程と、
前記開口部から前記対物レンズホルダにフォーカスコイルを収納させ、前記対物レンズホルダの前記第１支持部を前記フォーカスコイルの第１内壁に内側から当接させ、前記対物レンズホルダの前記第２支持部を前記フォーカスコイルの第２内壁に内側から当接させることで、前記フォーカスコイルの位置を固定する工程と、
前記フォーカスコイルに接着剤を供給することにより、前記フォーカスコイルを前記対物レンズホルダに固着する工程と、
を具備することを特徴とする対物レンズ駆動装置の製造方法。
【請求項７】
前記対物レンズホルダは、前記固定部よりも一方側で、前記第１側壁部、前記第２側壁部および前記第３側壁部に囲まれて第１フォーカスコイルが収納される第１収納領域と、
前記固定部よりも他方側で、前記第１側壁部、前記第２側壁部および前記第４側壁部に囲まれて第２フォーカスコイルが収納される第２収納領域と、を更に備え、
前記第１収納領域および前記第２収納領域の夫々に、前記第１支持部および前記第２支持部が設けられ、
前記第１収納領域に前記第１フォーカスコイルを収納させて、前記第１フォーカスコイルの前記第１内壁および前記第２内壁に内側から前記第１支持部および前記第２支持部を当接させ、
前記第２収納領域に前記第２フォーカスコイルを収納させて、前記第２フォーカスコイルの前記第１内壁および前記第２内壁に内側から前記第１支持部および前記第２支持部を当接させることを特徴とする請求項６に記載の対物レンズ駆動装置の製造方法。
【請求項８】
前記フォーカスコイルを固定する工程では、
前記フォーカスコイルの第１内壁は、前記第１支持部に押圧されて、両端よりも中間部が外側に膨らむ形状を呈し、
前記フォーカスコイルの第２内壁は、前記第１支持部に押圧されて、両端よりも中間部が外側に膨らむ形状を呈することを特徴とする請求項６または請求項７に記載の対物レンズ駆動装置の製造方法。
【請求項９】
前記フォーカスコイルを固定する工程では、
前記第３側壁部または前記第４側壁部に設けた第３支持部で、前記フォーカスコイルが厚み方向に保持されるように、前記フォーカスコイルを組み込むことを特徴とする請求項６から請求項８の何れかに記載の対物レンズ駆動装置の製造方法。
【発明の詳細な説明】
【技術分野】
【０００１】
本発明は、対物レンズホルダがアクチュエータフレームに変位可能に支持される対物レンズ駆動装置、光ピックアップ装置、および対物レンズ駆動装置の製造方法に関する。特に本発明は、フォーカスコイルがハウジングに内蔵される対物レンズ駆動装置等に関する。
【背景技術】
【０００２】
光ディスクに対して光学的に信号の読み取り、あるいは書き込みを行う光学ヘッドにおける対物レンズ駆動装置では、対物レンズが取り付けられた対物レンズホルダ（以下、レンズホルダと称する）がアクチュエータフレームに対して変位可能に支持されている。また、フォーカスコイル及びトラッキングコイル等をレンズホルダに装着すると共に、これらの駆動コイルの有効領域を磁気回路により形成される所定の磁界内に配置することにより、各駆動コイルに供給する信号に応じて対物レンズを駆動する構成となっている。
【０００３】
従来から存在する対物レンズ駆動装置の構造は、例えば下記特許文献１に記載されている。この文献の図２およびその説明箇所を参照すると、レンズホルダー１の側面に、トラッキングコイル５、第１フォーカスコイル７、第２フォーカスコイル８、第１チルトコイル１１および第２チルトコイル１２が設けられている。そして、これらの各コイルに所定の制御信号が入力される事によって、フォーカス制御、トラッキング制御およびチルト制御が行われる。
【０００４】
また、図２および図３を参照して、第１チルトコイル１１および第２チルトコイル１２はレンズホルダー１の側面全周を巻くように形成されている。
【先行技術文献】
【特許文献】
【０００５】
【特許文献１】特開２００８−１５２８３１号公報
【発明の概要】
【発明が解決しようとする課題】
【０００６】
しかしながら、上記した特許文献１では、第１チルトコイル１１および第２チルトコイル１２がレンズホルダー１の側面全体を巻回しているので、レンズホルダー１が組み込まれる光ピックアップ装置の小型化の為に、レンズホルダー１の側面から内部にレーザー光を取り込むことが困難な問題があった。また、フォーカスコイルをハウジングに内蔵される場合、ハウジングの所定箇所にフォーカスコイルを配置させることが容易でない場合があった。
【０００７】
本発明は、上記問題点を鑑みてなされたものであり、本発明の目的は、コイルの組み込みが容易な対物レンズホルダ等を提供することにある。
【課題を解決するための手段】
【０００８】
本発明の対物レンズ駆動装置は、対物レンズと、前記対物レンズが固定される固定部が設けられた主面部と、一方向で対向する第１側壁部および第２側壁部と、他方向で対向する第３側壁部および第４側壁部と、前記主面部に対向する開口部と有するレンズホルダと、巻回された導線から成り、前記レンズホルダに内蔵されるフォーカスコイルと、を備え、前記レンズホルダに、前記フォーカスコイルの第１内壁に内側から当接する第１支持部と、前記フォーカスコイルの前記第１内壁に対向する第２内壁に内側から当接する第２支持部と、を設けることを特徴とする。
【０００９】
本発明の光ピックアップ装置は、上記構成の対物レンズ駆動装置をハウジングに搭載したことを特徴とする。
【００１０】
本発明の対物レンズ駆動装置の製造方法は、対物レンズが固定される固定部が設けられた主面部と、一方向で対向する第１側壁部および第２側壁部と、他方向で対向する第３側壁部および第４側壁部と、前記主面部に対向する開口部と有し、前記主面部から内部に突出する第１支持部および第２支持部が設けられた対物レンズホルダを用意する工程と、前記開口部から前記対物レンズホルダにフォーカスコイルを収納させ、前記対物レンズホルダの前記第１支持部を前記フォーカスコイルの第１内壁に内側から当接させ、前記対物レンズホルダの前記第２支持部を前記フォーカスコイルの第２内壁に内側から当接させることで、前記フォーカスコイルの位置を固定する工程と、前記フォーカスコイルに接着剤を供給することにより、前記フォーカスコイルを前記対物レンズホルダに固着する工程と、を具備することを特徴とする。
【発明の効果】
【００１１】
本発明では、巻回された導線から成るフォーカスコイルをレンズホルダに収納させ、フォーカスコイルの対向する内壁に内側から当接する第１支持部および第２支持部を設けている。よって、レンズホルダの内部に於けるフォーカスコイルの位置を正確に規定することができる。
【図面の簡単な説明】
【００１２】
【図１】本発明の光ピックアップ装置を示す平面図である。
【図２】本発明の対物レンズ駆動装置を示す図であり、（Ａ）は対物レンズ駆動装置を全体的に示す平面図であり、（Ｂ）はアクチュエータ可動部を拡大して示す平面図である。
【図３】本発明の対物レンズホルダを示す図であり、（Ａ）は各種コイル等が組み込まれた状態の対物レンズホルダを示す斜視図であり、（Ｂ）はフォーカスコイルが収納される収納領域を拡大して示す斜視図である。
【図４】本発明の対物レンズホルダを示す図であり、（Ａ）はハウジングを部分的に示す断面図であり、（Ｂ）は上方から見た対物レンズホルダを部分的に示す平面図であり、（Ｃ）は同じ部分の対物レンズホルダを下方から見た平面図である。
【図５】本発明の対物レンズ駆動装置の製造方法を示す図であり、（Ａ）から（Ｄ）は各工程を示す断面図である。
【図６】本発明の対物レンズ駆動装置の製造方法を示す図であり、（Ａ）はフォーカスコイルに接着剤を供給する状態を示す斜視図であり、（Ｂ）はその状態を示す断面図である。
【発明を実施するための形態】
【００１３】
＜第１の実施の形態：光ピックアップ装置＞
図１は本実施形態の光ピックアップ装置１００の概略を示す平面図である。
【００１４】
光ピックアップ装置１００は、一例としてＣＤ（Compact Disc）規格、ＤＶＤ（Digital Versatile Disc）規格、およびＢＤ（Blu-ray Disc）規格の各光ディスクに対応し、対物レンズ駆動装置５０および各種光学部品がハウジング５１に設置されている。光ピックアップ装置の概略的機能は、光ディスクの情報記録層に対して所定の規格のレーザー光を照射し、この情報記録層で反射したレーザー光を受光することで、光ディスクからの情報の読出しまたは書き込みを行うことにある。
【００１５】
対物レンズ駆動装置５０（アクチュエータ）は、対物レンズ３１が固定されるレンズホルダ２１を移動可能に保持する。レンズホルダ２１は、上記した各規格の何れかまたは全てに対応する対物レンズ３１が装着される。
【００１６】
レーザーユニット１はレーザーダイオードを備え、このレーザーダイオードから上記した規格のレーザー光が放射される。具体的には、ＢＤに適した青紫色（青色）波長帯３９５ｎｍ〜４２０ｎｍ（例えば４０５ｎｍの波長）のレーザー光、ＤＶＤに適した赤色波長帯６４５ｎｍ〜６７５ｎｍ（例えば６５０ｎｍの波長）のレーザー光、またはＣＤに適した赤外波長帯７６５ｎｍ〜８０５ｎｍ（例えば７８０ｎｍの波長）のレーザー光が、レーザーダイオードから放射される。
【００１７】
レーザーユニット１から放射されたレーザー光は、回折格子６で０次光、＋１次光、−１次光に分離されてハーフミラー１３で反射された後に、１／４波長板９およびコリメートレンズ１２を通過し、不図示の立ち上げミラーで反射されて対物レンズ３１で光ディスクの情報記録層に合焦される。また、レーザーユニット１から放射されたレーザー光の一部はハーフミラー１３を透過してＦＭＤ２０で検出され、この検出に基づいてレーザーユニット１の出力が調整される。そして、光ディスクの情報記録層で反射した戻り光のレーザー光は、立ち上げミラー、コリメートレンズ１２、１／４波長板９、ハーフミラー１３を透過し、その後、第１プレート１６および第２プレート１９で不要な非点収差が打ち消され、所望の非点収差が付与された後に、光検出器１７（ＰＤＩＣ）で検出される。光検出器１７で検出された信号に基づいて、レンズホルダ２１のコイルに制御信号が供給され、フォーカスコイル、トラッキングコイルに制御電流が供給される。この結果、フォーカス制御、トラッキング制御及びラジアルチルト制御が行われる。
【００１８】
ここで、図１に示すＤｔ方向とはタンジェンシャル方向であり、Ｄｒ方向とはトラッキング方向であり、Ｄｆ方向とはフォーカス方向である。これらの各方向は互いに直交している。
【００１９】
＜第２の実施の形態：対物レンズ駆動装置＞
図２を参照して、上記した光ピックアップ装置に組み込まれる対物レンズ駆動装置５０を説明する。図２（Ａ）は対物レンズ駆動装置５０を示す平面図であり、図２（Ｂ）はアクチュエータ可動部４０を拡大して示す平面図である。
【００２０】
図２（Ａ）を参照して、対物レンズ駆動装置５０は、アクチュエータ可動部４０とアクチュエータフレーム４１とから成る。また、アクチュエータ可動部４０はレンズホルダ２１と、支持ワイヤ４５から構成される。アクチュエータフレーム４１は、冷間圧延鋼板等の磁性金属材料から形成され、部分的に直角に曲折加工されることで、後述するヨークが形成される。
【００２１】
アクチュエータ可動部４０は、支持ワイヤ４５によりアクチュエータフレーム４１に対してフォーカス方向（Ｄｆ方向）、トラッキング方向（Ｄｒ方向）及びラジアルチルト方向（Ｄｒｔ方向）に変位可能に弾性的に支持される。支持ワイヤ４５は、一端がレンズホルダ２１の側壁に固定され、他端がアクチュエータフレーム４１に固定された固定基板４４に固定される。固定基板４４は支持ワイヤ４５を制振させるダンパー材が充填される補助部材４３に接着され、この補助部材４３と共にアクチュエータフレーム４１にねじ止め固定される。支持ワイヤ４５は、アクチュエータフレーム４１の１つの側面に対して例えば３本ずつ架設され、アクチュエータ可動部４０を空中状態で機械的に支持すると共に、アクチュエータ可動部４０に備えられる各コイルに供給される電流が流れる接続手段としても機能している。
【００２２】
図２（Ｂ）を参照して、アクチュエータ可動部４０は、レンズホルダ２１と、レンズホルダ２１の上面に固定された対物レンズ３１と、レンズホルダ２１の側壁部の外側の面に巻回されたトラッキングコイル３６−３９と、レンズホルダ２１に内蔵されたフォーカスコイル２９、３０とを主要に備える。
【００２３】
レンズホルダ２１の側壁部外側に配置された各トラッキングコイル３６−３９に面するアクチュエータフレーム４１の各ヨークに、マグネット３２−３５が配置されている。各マグネット３２−３５の、各トラッキングコイル３６−３９に対向する面は同一の極性（例えばＮ極）である。また、各マグネット３２−３５は、トラッキングコイル３６−３９の有効領域に対して有効磁束を発生させる。この様な構成でトラッキングコイル３６−３９に電流を供給すると、トラッキングコイル３６−３９に電流が流れることで発生する磁界と、マグネット３２−３５で生成される磁界で形成される磁気回路との協働により、レンズホルダ２１はＤｒ方向に変位する。
【００２４】
対物レンズ３１を挟む箇所のレンズホルダ２１の内部には、Ｄｆ方向に巻回軸を有する２つのフォーカスコイル２９、３０が配置されており、マグネット３２−３５は、フォーカスコイル２９、３０の有効領域に対しても有効磁束を発生させている。従って、フォーカスコイル２９、３０に対して電流を供給すると、フォーカスコイル２９、３０に電流が流れることで発生する磁界と、マグネット３２−３５で生成される磁界で形成される磁気回路との協働により、レンズホルダ２１はＤｆ方向に変位する。尚、本形態では、フォーカスコイル２９、３０に、チルト方向に対する制御を行うための制御信号を付与することで、レンズホルダ２１をチルト方向（Ｄｒｔ方向）に制御している。
【００２５】
バックヨーク４６は、アクチュエータフレーム４１の端部を直角に曲折加工させた部位でありマグネット３２、３３が、内側の側面に固着されている。更に、バックヨークのＤｒ方向の両端部を更に直角に曲折させてサブヨーク４７が形成されている。このような形状のバックヨーク４６およびサブヨーク４７を設けることにより、各トラッキングコイル３６、３７に有効に作用する有効磁束を強めることができ、レンズホルダ２１のＤｒ方向の感度を向上させるのに有効である。
【００２６】
対向ヨーク４８、４９は、バックヨーク４６等と同様に、アクチュエータフレームを直角に曲折させた部位であり、夫々がフォーカスコイル２９、３０に挿入する位置に設けられている。対向ヨーク４８、４９をこのように配置することで、フォーカスコイル２９、３０及び各トラッキングコイル３６−３９に有効に作用する有効磁束を強めることができる。更には、レンズホルダ２１のＤｆ方向、Ｄｒ方向及びＤｒｔ方向の感度を向上できる。
【００２７】
更に本形態では、フォーカスコイル２９およびフォーカスコイル３０は、支持部２４でその位置が固定されている。この事項は本形態の特徴であり、図３以降の図を参照して後述する。
【００２８】
＜第３の実施の形態：対物レンズホルダ＞
図３を参照して、レンズホルダ２１にフォーカスコイル２９、３０およびトラッキングコイル３６−３９が備えられる構成を説明する。図３（Ａ）は各コイルが備えられた状態のレンズホルダ２１を示す斜視図であり、図３（Ｂ）はフォーカスコイル２９が収納される収納領域２３を拡大して示す斜視図である。
【００２９】
レンズホルダ２１の概略的形状は、下方に開口部が設けられた筐体形状である。具体的には、レンズホルダ２１は、対物レンズ３１が装着される円形の開口部が設けられた主面部５６と、主面部５６の周辺部から下方に一体的に連続する４つの側壁部とを備えている。この側壁部としては、紙面上の上方で長手方向の第２側壁部５３、第２側壁部５３に対向する第１側壁部５２、紙面上で右側に設けられた短手方向の第３側壁部５４、および第３側壁部５４に対向する第４側壁部５５が含まれている。第１側壁部５２および第２側壁部５３の主面はＤｒ方向に対して平行であり、第３側壁部５４および第４側壁部５５の主面はＤｔ方向に対して平行である。
【００３０】
第１側壁部５２の外側の主面には、ボビン５７、５８が設けられており、これらのボビンには夫々トラッキングコイル３６、３７が巻回されている。また、第２側壁部５３の外側の主面には、ボビン５９、６０が設けられており、これらのボビンには夫々トラッキングコイル３８、３９が巻回されている。各ボビン５７−６０は、Ｄｒ方向において対物レンズ３１よりも外側の領域に配置されている。この理由は、レンズホルダ２１を、小型の光ピックアップに収納させると、対物レンズ３１の直下に立ち上げミラーが配置されるからである。更には、前記立ち上げミラーへの光路を確保する空間をレンズホルダ２１の第１側壁部５２あるいは第２側壁部５３の中央から下方の領域に設ける必要があり、この領域にコイル等の部品を収納させるためのマージンが無いからである。
【００３１】
各ボビンに巻回されるトラッキングコイル３６−３９は、１本の細長いエナメル線等の絶縁被膜が形成された導線から成り、その一端は、第３側壁部５４の一部を突出させた絡げ部６１に絡げられ、他端は第４側壁部５５に設けた絡げ部６１に絡げられる。ここで、各トラッキングコイル３６−３９は、Ｄｔ方向に巻回軸を有し、全体として角を丸めた四角形状を呈するように、ボビン５７−６０に巻回されている。
【００３２】
絡げ部６１は、第３側壁部５４に３つ配置されており、２つはフォーカスコイル２９を構成するエナメル線等の絶縁被膜が形成された導線の両端が夫々絡げられ、１つにはトラッキングコイル３６−３９の端部が絡げられる。同様に、第４側壁部５５にも３つの絡げ部６１が設けられ、２つの絡げ部６１にはフォーカスコイル３０を構成する導線の両端部が絡げられ、１つの絡げ部６１にはトラッキングコイル３６−３９の他の端部が絡げられる。これらの絡げ部に絡げられた導線には、図２（Ａ）に示した支持ワイヤ４５が夫々接続される。
【００３３】
フォーカスコイル２９、３０は、Ｄｆ方向に巻回軸を有し、全体として角を丸めた四角形状を呈するように導線が巻回されて構成され、レンズホルダ２１の内部に収納されている。フォーカスコイル２９は第３側壁部５４側の端部に設けられた収納領域２２に配置さており、フォーカスコイル３０は第４側壁部５５側に設けられた収納領域２３に配置されている。即ち、フォーカスコイル２９は対物レンズ３１よりも＋Ｄｒ側に設けられており、フォーカスコイル３０は対物レンズ３１よりも−Ｄｒ側に設けられている。フォーカスコイル２９、３０を収納する収納領域２２、２３が、対物レンズ３１の外周端部よりも外側の端部に設けられる理由は、上記したボビン５７−６０を端部に配置する理由と同様である。ここで、平面視での収納領域２２、２３の大きさは、収納されるフォーカスコイル２９、３０の外形と同等か若干大きい程度に設定される。
【００３４】
本形態では、後述するように、収納領域２２、２３に面する各側壁部の一部を内部に突出させて支持部としており、この支持部でフォーカスコイル２９、３０を支持している。
【００３５】
尚、上記した各フォーカスコイル２９、３０およびトラッキングコイル３６−３９は、ボビン５７−６０から供給される接着剤を介して、レンズホルダ２１に固着される。
【００３６】
図３（Ｂ）を参照して、フォーカスコイル３０が収納領域２３に収納される構成を説明する。
【００３７】
フォーカスコイル３０は平面視で角が丸められた四角形形状を呈し、Ｄｔ方向に伸びて対向する長手方向の２つの側壁部と、Ｄｒ方向に伸びて対向する短手方向の２つの側壁部とを有している。また、フォーカスコイル３０は、フォーカスコイル３０の内壁に即した形状を有する型に、エナメル線等の導線を巻回して形成されている。依って、フォーカスコイル３０の内壁の寸法精度は、外壁の寸法精度よりも高い。このことから、本形態では、フォーカスコイル３０の内壁を基準として、フォーカスコイル３０をレンズホルダ２１に組み込んでいる。更に、フォーカスコイル３０は、所定形状となるようにエナメル線を巻回した後に、熱風による熱融着を行うことで、溶融した皮膜を介してエナメル線同士が接着している。これにより、搬送工程や組み込み工程に於けるフォーカスコイル３０の変形等が抑止されている。
【００３８】
更に、フォーカスコイル３０は、第１側壁部５２、第２側壁部５３および第３側壁部５４に囲まれる収納領域２２に収納されている。また、フォーカスコイル３０の−Ｄｆ側の端部は支持部２５Ａ、２５Ｂにより支持され、フォーカスコイル３０の＋Ｄｆ側の端部は支持部２５Ｃ、２５Ｄで支持されている。また、フォーカスコイル３０は第１側壁部５２および第２側壁部５３に挟持されることでＤｔ方向に固定され、内壁が支持部２５Ｃ、２５Ｄに当接することでＤｒ方向に固定されている。ここで、フォーカスコイル３０を構成するエナメル線同士の間には後述する接着剤が含浸されており、レンズホルダ２１の内壁とフォーカスコイル３０とは接着剤で接着されている。
【００３９】
上記した支持部２５Ａ−２５Ｄは、レンズホルダ２１の側壁を内側に部分的に突起させた部位であり、その詳細は図４を参照して詳述する。
【００４０】
図４を参照して、上記したフォーカスコイル３０がハウジング５１に収納される構成を詳述する。図４（Ａ）はフォーカスコイル３０が収納される構成を示す断面図であり、図４（Ｂ）は図４（Ａ）に示すハウジング５１を上方から見た平面図であり、図４（Ｃ）はそれを下方から見た図である。
【００４１】
図４（Ａ）を参照して、ハウジング５１の主面部を部分的に上方に突起させて支持部２５Ｃ、２５Ｄが設けられている。フォーカスコイル３０は、支持部２５Ｃ、２５Ｄに嵌めこまれた状態で、ハウジング５１の内部に収納されている。ここで、支持部２５Ｃは、フォーカスコイル３０の下面および内壁面に当接している。支持部２５Ｄも、フォーカスコイル３０の下面および内壁面に当接している。これにより、フォーカスコイル３０は、支持部２５Ｃ、２５ＤによりＤｆ方向およびＤｒ方向に対して固定される。また、支持部２５Ｄのフォーカスコイル３０に面する側の端部は面取り加工が施されている。これは、フォーカスコイル３０をハウジング５１に収納する工程において、フォーカスコイル３０の支持部２５Ｄへの嵌合を容易にするためである。
【００４２】
第４側壁部５５の上端付近を部分的に内側に突出させることで支持部２５Ａが形成されている。支持部２５Ａの下端付近はフォーカスコイル３０の上面に接触し、これによりフォーカスコイル３０のＤｆ方向に於ける位置が固定される。ここで、支持部２５Ａの下面は、下方が外側に広がる傾斜面となっている。これにより、ハウジング５１にフォーカスコイル３０を配置される工程にて、この傾斜面に沿ってフォーカスコイル３０を嵌めこむことができる。
【００４３】
図４（Ｂ）を参照して、フォーカスコイル３０は、ハウジング５１の第４側壁部５５から内側に突出する支持部２５Ａ、２５ＢによりＤｆ方向に支持されている。ここで、支持部２５Ｂの構成は、上記した支持部２５Ａと同様である。
【００４４】
支持部２５Ｃ、２５Ｄの内側の端部は、フォーカスコイル３０の内壁よりも内側に配置されている。これにより、支持部２５Ｃ、２５Ｄの端部がフォーカスコイル３０を保護する保護部として機能する。即ち、使用状況下にてハウジング５１が過度にＤｒ方向に移動した場合であっても、支持部２５Ｃ、２５Ｄが対向ヨーク４９に接触して、フォーカスコイル３０が対向ヨーク４９に接触しない。よって、フォーカスコイル３０の変形等が防止されている。
【００４５】
更に、図５（Ａ）を参照して後述するが、支持部２５Ｃと支持部２５Ｄとが離間する幅は、収納される前のフォーカスコイル３０の内壁面同士の幅と同等かそれよりも少し長く設定されている。よって、紙面上で左右に対向するフォーカスコイル３０の内壁の、支持部２５Ｃと支持部２５Ｄが接触する中間部は、その端部よりも外側に膨らむ形状を呈している。これにより、位置精度が高いフォーカスコイル３０の内壁が、支持部２５Ｃと支持部２５Ｄに密着するので、ハウジング５１の内部に於けるフォーカスコイル３０の位置精度が高くなる。
【００４６】
図４（Ｃ）を参照して、フォーカスコイル３０の収納領域には、主面部５６から連続した支持部２５Ｃ、２５Ｄ、２５Ｅ、２５Ｆが配置されている。支持部２５Ｃ、２５Ｄは、上記したように、フォーカスコイル３０の上面および内壁面に接触する。より具体的には、支持部２５Ｃ、２５Ｄは、長手方向に伸びるフォーカスコイル３０の側壁の中央部付近に接触している。更に、フォーカスコイル３０の短手方向の側壁は、支持部２５Ｅ、２５Ｆにより被覆されている。
【００４７】
＜第４の実施の形態：対物レンズ駆動装置の製造方法＞
本形態では、上記した各図および図５および図６を参照して、上述した構成の対物レンズ駆動装置の製造方法を説明する。
【００４８】
先ず、図３（Ａ）に示すような形状を備えたレンズホルダ２１を用意する。レンズホルダ２１は、液晶ポリマー（Liquid Crystal Polymer）などの樹脂材料を、モールド金型のキャビティに注入することにより形成される。レンズホルダ２１は、４つの側壁部を有し、第１側壁部５２および第２側壁部５３に、トラッキングコイルを巻回するためのボビン５７−６０が側壁部と一体で設けられている。
【００４９】
次に、各ボビン５７−６０に導線を巻回することでトラッキングコイル３６−３９を形成する。トラッキングコイル３６−３９は、１本の導線から成り、例えば、ボビン５９、５８、５７、６０の順番で自動化された機械により巻回される。トラッキングコイル３６−３９と成る導線の一端は、第３側壁部５４に設けられた絡げ部６１に絡げられる。また、この導線の他端は、第４側壁部５５に設けられた絡げ部６１に絡げられる。
【００５０】
次に、図５に示すようにフォーカスコイル３０をハウジング５１に収納する。図５の各図は、ハウジング５１の所定箇所にフォーカスコイル３０を収納させる工程を示す断面図である。
【００５１】
図５（Ａ）を参照して、先ず、ハウジングの主面部５６には、上記した支持部２５Ｃ、２５Ｄが設けられており、Ｄｒ方向に於ける支持部２５Ｃ、２５Ｄの外側の側面が、フォーカスコイル３０の内壁に当接する。ここで、Ｄｒ方向に於いて、支持部２５Ｃの外側を向く側面と、支持部２５Ｄの外側を向く側面との距離Ｌ２は、フォーカスコイル３０の対向する内壁の距離Ｌ１と同等かそれよりもわずかに長く（Ｌ１−０．０１ｍｍ≦Ｌ２≦Ｌ１＋０．１ｍｍ）設定されている。これにより、フォーカスコイル３０が支持部２５Ｃ、２５Ｄに嵌めこまれる。この結果、フォーカスコイル３０が強固に支持部２５Ｃ、２５Ｄに嵌合し、フォーカスコイル３０が精度よくハウジング５１に収納される。
【００５２】
図５（Ｂ）および図５（Ｃ）を参照して、次に、フォーカスコイル３０をハウジング５１の内部に移動させ、支持部にはめ込む。具体的には、最初に、紙面上におけるフォーカスコイル３０の右側の側壁内面を、支持部２５Ｄの側面に当接させる。本形態では、支持部。２５Ｄの上端部外側は面取り加工されているので、フォーカスコイル３０の側壁内面を支持部２５Ｄに容易に接触させることができる。この時、フォーカスコイル３０の左側の側壁は支持部２５Ｃに接触していないので、フォーカスコイル３０は、右側が下方に沈むように傾斜した状態となる。
【００５３】
次に、フォーカスコイル３０の左側側壁を下方に押し込み、フォーカスコイル３０の左側の側壁内面を、支持部２５Ｃの側面に当接させる。ここでは、上記したように、支持部２５Ｅの下面が傾斜面となっているため、このフォーカスコイル３０の押し込みは容易に行われる。
【００５４】
図５（Ｄ）に、ハウジング５１に嵌め込まれた状態のフォーカスコイル３０を示す。ここで、フォーカスコイル３０のＤｒ方向への移動は、支持部２５Ｃ、２５Ｄにより規制され、フォーカスコイル３０のＤｆ方向への移動は支持部２５Ｅにより規制される。これにより、フォーカスコイル３０がハウジング５１に仮止めされた状態となる。
【００５５】
また、図３（Ａ）に示すフォーカスコイル２９も、同様にレンズホルダ２１の内部に収納される。本工程が収納した後に、フォーカスコイル２９、３０を構成する端部のエナメル線は、図３に示す絡げ部６１に絡げられる。
【００５６】
次に、図６を参照して、フォーカスコイル３０をレンズホルダ２１に固着するために接着剤を供給する。図６（Ａ）は本工程で接着剤６８を供給する状況を示す斜視図であり、図６（Ｂ）はこの状況を示す断面図である。
【００５７】
図６（Ａ）を参照して、本工程では、レンズホルダ２１の４隅付近に設けたボビン５７−６０を経由して、各トラッキングコイル３６−３９および各フォーカスコイル２９、３０に接着剤を供給している。この図では、接着剤６８を供給する箇所を白抜きの矢印で示している。
【００５８】
図６（Ｂ）を参照して、ボビン５７を経由して、トラッキングコイル３６およびフォーカスコイル３０に接着剤６８を供給する方法を詳述する。
【００５９】
本形態では、ボビン５７は、トラッキングコイル３６およびフォーカスコイル３０に接着剤６８を供給するのに適した形状を有している。具体的には、ボビン５７は、第１側壁部５２から円筒状に外側に突出する筒状部６５と、筒状部６５の外側の端部を拡大させた鍔部６６とを備えている。そして、筒状部６５の内部は、ホルダと外部とを連通させる連通孔６３となっており、また、筒状部６５の一部を貫通して貫通孔６４が設けられている。この構成は、他のボビンも同様である。
【００６０】
本工程では、ボビン５７が有する連通孔６３に液状の接着剤を供給する。連通孔６３に供給された接着剤６８は、フォーカスコイル３０を構成する導線同士の間に含浸される。また、接着剤６８の一部は、第１側壁部５２の内壁とフォーカスコイル３０との間にも進入する。同様に、第２側壁部５３に設けたボビン６０（図６（Ａ）参照）からもフォーカスコイル３０に対して接着剤を供給する。ボビン５７とボビン６０とは、フォーカスコイル２９を挟む位置で対称的に配置されているので、両ボビンから供給された接着剤は、フォーカスコイル２９に対して一様に含浸される。同様に、フォーカスコイル２９に対しても、ボビン５８、５９（図６（Ａ）参照）を経由して接着剤が供給される。
【００６１】
また、図６（Ｂ）を参照して、連通孔６３に供給された接着剤の一部は、トラッキングコイルにも供給される。具体的には、ボビン５７の連通孔６３に液状の接着剤６８を供給すると、供給された接着剤６８は、貫通孔６４を経由して、鍔部６６と第２側壁部５３に囲まれる空間に浸入する。そして、浸入した接着剤は、トラッキングコイル３８を構成する導線同士の間隙に含浸される。接着剤６８をトラッキングコイル３８に供給する上記方法は、他のボビンでも同様である。
【００６２】
その後、接着剤６８を硬化させる。接着剤６８が、光線照射や加熱等のエネルギーを付与することで硬化するタイプであれば、エネルギーを接着剤６８に付与する。このようにすることで、図６（Ｂ）を参照して、フォーカスコイル３０を構成する導線同士が固化され、フォーカスコイル３０が第１側壁部５２、第２側壁部５３および第４側壁部５５に固定される。同様に、フォーカスコイル３０の固化および固着が行われる。更に、トラッキングコイル３６−３９の形状が固化されると共に、各トラッキングコイル３６−３９が各ボビン５７−６０に固着される。
【００６３】
上記の工程を経て、図３に構成を示すレンズホルダ２１が製造される。また、図２（Ａ）を参照して、支持ワイヤ４５を経由してレンズホルダ２１をアクチュエータフレーム４１に固定することにより、対物レンズ駆動装置５０が製造される。更に、図１を参照して、対物レンズ駆動装置５０を、他の光学素子と共にハウジング５１に組み込むことによって、光ピックアップ装置１００が製造される。
【符号の説明】
【００６４】
１     レーザーユニット
６     回折格子
９     １／４波長板
１２   コリメートレンズ
１３   ハーフミラー
１６   第１プレート
１７   光検出器
１８   １／４波長板
１９   第２プレート
２０   ＦＭＤ
２１、２１Ａ  レンズホルダ
２２   収納領域
２３   収納領域
２４、２４Ａ、２４Ｂ、２４Ｃ、２４Ｄ、２４Ｅ、２４Ｆ    支持部
２５、２５Ａ、２５Ｂ、２５Ｃ、２５Ｄ、２５Ｅ            支持部
２６   ボビン
２７   ボビン
２８   孔部
２９   フォーカスコイル
３０   フォーカスコイル
３１   対物レンズ
３２   マグネット
３３   マグネット
３４   マグネット
３５   マグネット
３６   トラッキングコイル
３７   トラッキングコイル
３８   トラッキングコイル
３９   トラッキングコイル
４０   アクチュエータ可動部
４１   アクチュエータフレーム
４３   補助部材
４４   固定基板
４５   支持ワイヤ
４６   バックヨーク
４７   サブヨーク
４８   対向ヨーク
４９   対向ヨーク
５０   対物レンズ駆動装置
５１   ハウジング
５２   第１側壁部
５３   第２側壁部
５４   第３側壁部
５５   第４側壁部
５６   主面部
５７   ボビン
５８   ボビン
５９   ボビン
６０   ボビン
６１   絡げ部
６２   固定部
６３   連通孔
６４   貫通孔
６５   筒状部
６６   鍔部
６７   孔部
６８   接着剤
【図１】
2014026703.tif 000003
【図２】
2014026703.tif 000004
【図３】
2014026703.tif 000005
【図４】
2014026703.tif 000006
【図５】
2014026703.tif 000007
【図６】
2014026703.tif 000008